(57)【要約】【課題】粉粒体のサンプル採取を簡易にするサンプル採取装置及びサンプル採取方法を提供する。【解決手段】サンプル採取装置１は、粉粒体Ｐが収容された袋体１００に貫通孔４１をあけて粉粒体Ｐのサンプルを採取する装置である。サンプル採取装置１は、穿孔部１１が前端に設けられ壁１０１に貫通孔４１を形成するサンプリング具３と、穿孔部１１よりも後方のカバー材固定部２７においてサンプリング具３に取付けられ、穿孔部１１を覆うように当該穿孔部１１の前方まで延びると共に前端に開口５ａを有し、当該開口５ａの縁部である接合リング３３を壁１０１の表面に接合して穿孔部１１が収容された閉鎖空間Ｒを形成するカバー材５と、を備える。【選択図】図１
2018179731.tif 000002
【特許請求の範囲】
【請求項１】
粉粒体が収容された粉粒体収容体に貫通孔をあけて前記粉粒体のサンプルを採取するサンプル採取装置であって、
前記粉粒体収容体の壁に前記貫通孔を形成するための穿孔部が前端に設けられた貫通孔形成具と、
前記穿孔部よりも後方の取付部において前記貫通孔形成具に取付けられ、前記穿孔部を覆うように当該穿孔部よりも前方まで延びると共に前端に開口を有し、当該開口の縁部を前記壁の表面に接合して前記穿孔部が収容された閉鎖空間を形成するカバー材と、を備える、サンプル採取装置。
【請求項２】
前記カバー材は、
前記開口の縁部として環状に設けられ前記壁の表面に接合される環状接合部材を有する、請求項１に記載のサンプル採取装置。
【請求項３】
前記貫通孔形成具は、
前記穿孔部と前記取付部との間に設けられ前記粉粒体が保持される粉粒体保持部を更に有し、
前記粉粒体収容体に刺入され抜去されて前記サンプルを抜き出すサンプリング具である、請求項１又は２に記載のサンプル採取装置。
【請求項４】
一端に開口を有するカバー材の前記開口の縁部を粉粒体が収容された粉粒体収容体の壁の表面に接合し穿孔部が収容された閉鎖空間を形成するカバー材接合工程と、
前記壁の表面上で前記開口の縁部に囲まれた領域において、前記穿孔部により前記壁に貫通孔を形成する貫通孔形成工程と、
前記貫通孔を通じて前記粉粒体のサンプルを前記カバー材内に抜き出すサンプル抜出し工程と、
前記カバー材内に移動した前記サンプルと前記開口の縁部との間の位置において、各分断部が封止される状態で前記カバー材を分断する分断封止工程と、を備える、サンプル採取方法に使用されるサンプル採取装置であって、
前記穿孔部が前端に設けられた貫通孔形成具と、
前記穿孔部よりも後方の取付部において前記貫通孔形成具に取付けられ、前記穿孔部を覆うように当該穿孔部よりも前方まで延びると共に前端に前記開口を有する前記カバー材と、を備える、サンプル採取装置。
【請求項５】
粉粒体が収容された粉粒体収容体に貫通孔をあけて前記粉粒体のサンプルを採取するサンプル採取装置であって、
前記粉粒体収容体の壁に前記貫通孔を形成するための穿孔部と、
一端に開口を有し、当該開口の縁部を前記壁の表面に接合して前記穿孔部が収容された閉鎖空間を形成するカバー材と、を備える、サンプル採取装置。
【請求項６】
粉粒体が収容された粉粒体収容体に貫通孔をあけて前記粉粒体のサンプルを採取するサンプル採取方法であって、
一端に開口を有するカバー材の前記開口の縁部を前記粉粒体収容体の壁の表面に接合し穿孔部が収容された閉鎖空間を形成するカバー材接合工程と、
前記壁の表面上で前記開口の縁部に囲まれた領域において、前記穿孔部により前記壁に貫通孔を形成する貫通孔形成工程と、
前記貫通孔を通じて前記粉粒体のサンプルを前記カバー材内に抜き出すサンプル抜出し工程と、
前記カバー材内に移動した前記サンプルと前記開口の縁部との間の位置において、各分断部が封止される状態で前記カバー材を分断する分断封止工程と、を備える、サンプル採取方法。
【請求項７】
前記分断封止工程の後、前記開口の縁部側の前記分断部を覆い隠すキャップ部材を設けるキャップ設置工程を更に備える、請求項６に記載のサンプル採取方法。
【請求項８】
請求項１〜３又は５の何れか１項に記載のサンプル採取装置を用いて実行される、請求項５又は６に記載のサンプル採取方法。
【請求項９】
前端に設けられた穿孔部と、当該穿孔部よりも後方に設けられ粉粒体が保持される粉粒体保持部と、を有するサンプリング具と、
前記粉粒体保持部よりも後方の取付部において前記サンプリング具に取付けられ、前記穿孔部及び粉粒体保持部を覆うように前記穿孔部よりも前方まで延びると共に前端に開口を有し、前記開口の縁部として環状に設けられた環状接合部材を有するカバー材と、を備えるサンプル採取装置を用いて実行されるサンプル採取方法であって、
前記環状接合部材を前記粉粒体が収容された粉粒体収容体の壁の表面に接合し前記穿孔部及び粉粒体保持部が収容された閉鎖空間を形成するカバー材接合工程と、
前記壁の表面上で前記環状接合部材に囲まれた領域において、前記サンプリング具の前記穿孔部及び前記粉粒体保持部を前記粉粒体収容体に刺入して前記壁に貫通孔を形成する貫通孔形成工程と、
前記穿孔部及び前記粉粒体保持部を前記粉粒体収容体から抜去することで、前記粉粒体保持部に保持された状態の前記粉粒体のサンプルを前記貫通孔を通じて前記カバー材内に抜き出すサンプル抜出し工程と、
前記穿孔部と前記環状接合部材との間の位置において、各分断部が封止される状態で前記カバー材を分断する分断封止工程と、を備える、サンプル採取方法。
【発明の詳細な説明】
【技術分野】
【０００１】
本発明は、サンプル採取装置及びサンプル採取方法に関するものである。
【背景技術】
【０００２】
従来、粉粒体が収容された袋体等から当該粉粒体のサンプルを採取する場合がある。例えば、採取対象の粉粒体が高生理活性の物質である場合など、粉粒体の封じ込めを図りながらサンプル採取を実行することが求められる場合もある。すなわち、粉粒体が外部に漏出したり飛散したりしないようにサンプル採取することが求められる。このような条件でサンプル採取を行う場合には、アイソレータが使用されるのが一般的である。しかしながら、アイソレータを用いたサンプル採取は作業者がグローブを介して操作を行うものであり、作業性が良いとは言えなかった。また、アイソレータの使用後には規定の洗浄作業が必要であるなど、アイソレータの運用も煩雑なものであった。また、アイソレータは、比較的大掛りな高価な装置でもある。このようなアイソレータを不要にする方法として、例えば、下記特許文献１に記載のサンプル採取方法も知られている。このサンプル採取方法では、粉粒体の容器に予め筒状の袖部を設けておき、容器内の粉粒体のサンプルを袖部内に採取し、当該袖部を分断してサンプルを回収する。
【先行技術文献】
【特許文献】
【０００３】
【特許文献１】特開2003-205994号公報
【発明の概要】
【発明が解決しようとする課題】
【０００４】
しかしながら、特許文献１の方法は、粉粒体が特定の構造の容器に収容されている場合にのみ適用可能である。あるいは、特許文献１の方法を実行するためには、サンプル採取に先立って粉粒体の容器に加工を施すことが必要になる。何れにせよ、サンプル採取作業の煩雑さを十分に解消できるものとは言えず、更なるサンプル採取の簡易化が望まれる。この課題に鑑み、本発明は、粉粒体のサンプル採取を簡易にするサンプル採取装置及びサンプル採取方法を提供することを目的とする。
【課題を解決するための手段】
【０００５】
本発明のサンプル採取装置は、粉粒体が収容された粉粒体収容体に貫通孔をあけて粉粒体のサンプルを採取するサンプル採取装置であって、粉粒体収容体の壁に貫通孔を形成するための穿孔部が前端に設けられた貫通孔形成具と、穿孔部よりも後方の取付部において貫通孔形成具に取付けられ、穿孔部を覆うように当該穿孔部よりも前方まで延びると共に前端に開口を有し、当該開口の縁部を壁の表面に接合して穿孔部が収容された閉鎖空間を形成するカバー材と、を備える。
【０００６】
カバー材は、開口の縁部として環状に設けられ壁の表面に接合される環状接合部材を有することとしてもよい。
【０００７】
貫通孔形成具は、穿孔部と取付部との間に設けられ粉粒体が保持される粉粒体保持部を更に有し、粉粒体収容体に刺入され抜去されてサンプルを抜き出すサンプリング具であることとしてもよい。
【０００８】
本発明のサンプル採取装置は、一端に開口を有するカバー材の開口の縁部を粉粒体が収容された粉粒体収容体の壁の表面に接合し穿孔部が収容された閉鎖空間を形成するカバー材接合工程と、壁の表面上で開口の縁部に囲まれた領域において、穿孔部により壁に貫通孔を形成する貫通孔形成工程と、貫通孔を通じて粉粒体のサンプルをカバー材内に抜き出すサンプル抜出し工程と、カバー材内に移動したサンプルと開口の縁部との間の位置において、各分断部が封止される状態でカバー材を分断する分断封止工程と、を備える、サンプル採取方法に使用されるサンプル採取装置であって、穿孔部が前端に設けられた貫通孔形成具と、穿孔部よりも後方の取付部において貫通孔形成具に取付けられ、穿孔部を覆うように当該穿孔部よりも前方まで延びると共に前端に開口を有するカバー材と、を備える。
【０００９】
本発明のサンプル採取装置は、粉粒体が収容された粉粒体収容体に貫通孔をあけて粉粒体のサンプルを採取するサンプル採取装置であって、粉粒体収容体の壁に貫通孔を形成するための穿孔部と、一端に開口を有し、当該開口の縁部を壁の表面に接合して穿孔部が収容された閉鎖空間を形成するカバー材と、を備える。
【００１０】
本発明のサンプル採取方法は、粉粒体が収容された粉粒体収容体に貫通孔をあけて粉粒体のサンプルを採取するサンプル採取方法であって、一端に開口を有するカバー材の開口の縁部を粉粒体収容体の壁の表面に接合し穿孔部が収容された閉鎖空間を形成するカバー材接合工程と、壁の表面上で開口の縁部に囲まれた領域において、穿孔部により壁に貫通孔を形成する貫通孔形成工程と、貫通孔を通じて粉粒体のサンプルをカバー材内に抜き出すサンプル抜出し工程と、カバー材内に移動したサンプルと開口の縁部との間の位置において、各分断部が封止される状態でカバー材を分断する分断封止工程と、を備える。
【００１１】
このサンプル採取方法では、カバー材の開口の縁部が粉粒体収容体の壁の表面に接合されて閉鎖空間が形成される。この閉鎖空間内に穿孔部が収容された状態であるので、閉鎖空間の閉鎖状態を維持したまま、穿孔部で粉粒体収容体の壁に貫通孔を形成することができ、貫通孔を通じて閉鎖空間に粉粒体のサンプルを抜き出すことができる。その後、各分断部が封止される状態でカバー材が分断されるので、閉鎖空間の閉鎖状態を維持したまま、サンプルを粉粒体収容体から切り離すことができ、貫通孔をカバー材の残骸で封止することができる。このように簡易な手法によって、粉粒体収容体がサンプリング用の開閉扉等を備えていない場合にも、封じ込めを図りながら粉粒体のサンプルを採取することができる。
【００１２】
本発明のサンプル採取方法は、分断封止工程の後、開口の縁部側の分断部を覆い隠すキャップ部材を設けるキャップ設置工程を更に備えることとしてもよい。この構成によれば、キャップ部材によって開口の縁部側の分断部が覆い隠されるので、万一、当該分断部の封止が不完全であった場合にも、粉粒体収容体からの粉粒体の漏出や飛散が避けられる。
【００１３】
本発明のサンプル採取方法は、前述の何れかのサンプル採取装置を用いて実行されてもよい。
【００１４】
本発明のサンプル採取方法は、前端に設けられた穿孔部と、当該穿孔部よりも後方に設けられ粉粒体が保持される粉粒体保持部と、を有するサンプリング具と、粉粒体保持部よりも後方の取付部においてサンプリング具に取付けられ、穿孔部及び粉粒体保持部を覆うように穿孔部よりも前方まで延びると共に前端に開口を有し、開口の縁部として環状に設けられた環状接合部材を有するカバー材と、を備えるサンプル採取装置を用いて実行されるサンプル採取方法であって、環状接合部材を粉粒体が収容された粉粒体収容体の壁の表面に接合し穿孔部及び粉粒体保持部が収容された閉鎖空間を形成するカバー材接合工程と、壁の表面上で環状接合部材に囲まれた領域において、サンプリング具の穿孔部及び粉粒体保持部を粉粒体収容体に刺入して壁に貫通孔を形成する貫通孔形成工程と、穿孔部及び粉粒体保持部を粉粒体収容体から抜去することで、粉粒体保持部に保持された状態の粉粒体のサンプルを貫通孔を通じてカバー材内に抜き出すサンプル抜出し工程と、穿孔部と環状接合部材との間の位置において、各分断部が封止される状態でカバー材を分断する分断封止工程と、を備える。
【発明の効果】
【００１５】
本発明によれば、粉粒体のサンプル採取を簡易にするサンプル採取装置及びサンプル採取方法を提供することができる。
【図面の簡単な説明】
【００１６】
【図１】第１実施形態に係るサンプル採取装置の分解斜視図である。
【図２】図１のサンプル採取装置の断面図である。
【図３】（ａ）〜（ｃ）は、サンプル採取方法を手順ごとに示す断面図である。
【図４】（ａ）〜（ｃ）は、図３に続きサンプル採取方法を手順ごとに示す断面図である。
【図５】第２実施形態に係るサンプル採取装置の断面図である。
【図６】（ａ）〜（ｃ）は、サンプル採取方法の変形例を手順ごとに示す断面図である。
【図７】（ａ）〜（ｃ）は、図６に続きサンプル採取方法の変形例を手順ごとに示す断面図である。
【発明を実施するための形態】
【００１７】
以下、図面を参照しつつ本発明に係るサンプル採取装置及びサンプル採取方法の実施形態について詳細に説明する。
【００１８】
（第１実施形態）
図１は、第１実施形態に係るサンプル採取装置１を示す分解斜視図であり、図２は、その断面図である。図３及び図４は、サンプル採取装置１を使用して実行されるサンプル採取方法の一例を手順ごとに示す断面図である。サンプル採取装置１は、粉粒体Ｐが収容された袋体１００（粉粒体収容体）に刺入され抜去されて粉粒体Ｐの一部をサンプルＳとして採取する装置である。以下の説明において、「前方」、「後方」、「前端」、「後端」などの語を用いる場合には、袋体１００にサンプル採取装置１が刺入されるときの刺入方向を前とする。
【００１９】
図３及び図４に示されるように、サンプル採取装置１が主に対象とする袋体１００には、例えば開閉可能な扉といったような、粉粒体Ｐを外部に取出すための構造は設けられていない。このため、サンプル採取装置１は、袋体１００の壁１０１の一部を破壊し貫通孔をあけて粉粒体Ｐのサンプルを採取する。例えば、袋体１００の材料はポリエチレン又はポリプロピレン等の軟質樹脂性である。粉粒体Ｐは、例えば高生理活性の物質であり、当該粉粒体Ｐの封じ込めを図りながらサンプル採取を実行することが求められる。すなわち、粉粒体Ｐが外部に漏出したり飛散したりしないようにサンプル採取することが求められる。高生理活性の物質の一例としては、高薬理活性の製剤がある。高薬理活性の製剤は、例えば抗がん剤やステロイド系の薬剤など、サンプル採取作業者が仮に暴露された場合に害を及ぼすものである。
【００２０】
図１及び図２を参照しながらサンプル採取装置１の構成について説明する。サンプル採取装置１は、サンプリング具３（貫通孔形成具）と、サンプリング具３の中央部に取付けられ当該サンプリング具３の前部を覆うカバー材５と、を備えている。更にサンプル採取装置１は、サンプリング具３の前部に被せられる収容ケース７と、後に説明する化粧キャップ９（キャップ部材）と、を備えている。
【００２１】
（サンプリング具）
サンプリング具３は、粉粒体Ｐが収容された袋体１００に刺入され抜去されて粉粒体Ｐのサンプルを抜き出す機能を有している。サンプリング具３は、前端に設けられた穿孔部１１と、穿孔部１１の後方に連続して設けられた胴部１３とを備えている。穿孔部１１は、前方に尖った尖鋭な円錐形状をなし、袋体１００の壁１０１の一部を破壊して貫通孔を形成することができる。胴部１３は穿孔部１１と同軸の円筒形状をなしている。胴部１３は当該胴部１３の中空部として形成された粉粒体保持部１５を有している。粉粒体保持部１５は胴部１３の側壁に形成された切欠き１７を通じて胴部１３外に連通している。粉粒体保持部１５は、切欠き１７を通じて流れ込んだ粉粒体Ｐを一時的に保持することが可能である。
【００２２】
サンプリング具３は、粉粒体保持部１５の更に後方に設けられた採取ボトル１９を備えている。採取ボトル１９は、空洞部１９ａを有し前端が開口した有底の円筒容器をなしている。サンプリング具３のうち穿孔部１１と粉粒体保持部１５とを含む部分を本体部２１とすれば、採取ボトル１９は本体部２１の後端にねじ込まれ着脱可能に取付けられる。採取ボトル１９と本体部２１との接続部にはＯリング２３が介在することで、採取ボトル１９と本体部２１との隙間から粉粒体Ｐが漏出しないようになっている。採取ボトル１９の空洞部１９ａは粉粒体保持部１５に連通しており、粉粒体保持部１５に保持された粉粒体Ｐを、空洞部１９ａに移動させることが可能である。すなわち、採取ボトル１９は、上記のように空洞部１９ａに移動した粉粒体Ｐを収容することが可能である。また、採取ボトル１９は、サンプリング具３が袋体１００に刺入／抜去される際に、ユーザが把持するための柄としても機能する。
【００２３】
（カバー材）
カバー材５は、穿孔部１１及び胴部１３とほぼ同軸の筒状をなす部材であり、前端に円形の開口５ａを有している。開口５ａは、穿孔部１１及び胴部１３を挿通可能な径を有している。カバー材５の後端は、粉粒体保持部１５よりも後方の位置においてサンプリング具３の本体部２１に取付けられている。以下、サンプリング具３上におけるカバー材５の取付け位置を単に「取付位置２５」と称する。カバー材５は、上記取付位置２５から前方に向かって延在し、穿孔部１１及び胴部１３の周囲を覆っており、穿孔部１１の更に前方の位置まで延びている。
【００２４】
取付位置２５には、胴部１３よりも大径の部位であるカバー材固定部２７（取付部）が設けられている。当該カバー材固定部２７の周囲にカバー材５の後端縁部が巻かれ、当該後端縁部の外側にＯリング２７ａが巻かれる。Ｏリング２７ａの周囲には、Ｏリング２７ａを径方向に締め付ける固定バンド２９が巻かれている。この構造によってカバー材５の後端縁部がカバー材固定部２７に取付けられ、カバー材５がサンプリング具３に対して固定される。また上記構造によって、カバー材固定部２７とカバー材５との隙間が塞がれ、当該隙間から粉粒体Ｐが漏出しないようになっている。なお、固定バンド２９には、Ｏリング２７ａを締め付けるための機械的な締付け機構が設けられてもよい。
【００２５】
カバー材５は、穿孔部１１及び胴部１３を包囲しながら前後方向に延在する接続シュート３１と、当該接続シュート３１の前方に設けられ円環形状をなす接合リング３３（環状接合部材）とを備えている。接続シュート３１は、胴部１３と略同軸の円筒状をなし可撓性の材料からなる筒状の袋体である。接続シュート３１は透明な部材であってもよい。接続シュート３１が透明な部材であれば、ユーザが、穿孔部１１や粉粒体保持部１５の状態を目視で確認しならサンプル採取を実行することが可能である。接合リング３３は、接続シュート３１よりも硬質の材料からなり、カバー材５の開口５ａの縁部を形成している。接合リング３３の前端面には、例えば、袋体１００に接着するための両面テープ等が設置されていてもよい。接合リング３３の後端の外周面には雄ネジ部３３ａが形成されている。この雄ネジ部３３ａは、化粧キャップ９の前端の内周面に形成された雌ネジ部９ａに螺合可能である。
【００２６】
以上のように、筒状をなすカバー材５の後端がカバー材固定部２７によって塞がれることで、サンプリング具３に取付けられた状態においては、カバー材５は前端にのみ開口５ａを有する袋体を構成している。なお、接続シュート３１が可撓性を有しているので、図２に示されるように、接続シュート３１を折り畳み、接合リング３３を胴部１３の後端近傍まで挿通させることで、カバー材５を取付位置２５近傍に纏めて収納することが可能である。
【００２７】
（収容ケース）
収容ケース７は、前方から穿孔部１１及び胴部１３に被せられるキャップ状の部材である。収容ケース７の後端の内周面には雌ネジ部７ａが形成されている。これに対し、サンプリング具３のカバー材固定部２７の後方には、当該カバー材固定部２７よりも更に大径のフランジ３５が設けられており、フランジ３５の前端の外周面に雄ネジ部３５ａが形成されている。上記の雌ネジ部７ａと雄ネジ部３５ａとが螺合することで、収容ケース７はサンプリング具３に取付けられ、穿孔部１１及び胴部１３を覆う。このとき、カバー材５は、前述の通り折り畳まれた状態（図２参照）で、収容ケース７内に収容される。化粧キャップ９も、穿孔部１１と収容ケース７との間隙に収容されていてもよい。上記のような収容ケース７の存在により、サンプル採取装置１の搬送時又は持運び時において、胴部１３やカバー材５が外的な衝撃によって破損する可能性が低減され、上記の破損に起因して発生する粉粒体Ｐの漏出の可能性が低減される。
【００２８】
サンプリング具３の本体部２１及び収容ケース７の材料としては、例えばステンレス（例えばＳＵＳ３０４）等の金属が採用される。サンプリング具３の採取ボトル１９の材料としては、例えば硬質のポリエチレン又はＳｉＯ２が採用される。固定バンド２９の材料としては、例えばステンレス（例えばＳＵＳ３０４）等の金属が採用される。接続シュート３１の材料としては、例えば軟質のポリエチレンが採用される。接合リング３３及び化粧キャップ９の材料としては、例えば硬質のポリエチレンが採用される。サンプリング具３の胴部１３の直径は、例えば約１０〜３０ｍｍであり、サンプル採取装置１で採取されるサンプルの量は、例えば１０〜１５０ｍＬ程度である。
【００２９】
続いて図３及び図４を参照しながら、本発明のサンプル採取方法の一実施形態について説明する。本実施形態のサンプル採取方法は、上述したサンプル採取装置１を用いて実行され、袋体１００に収容された粉粒体Ｐのサンプルを採取するものである。
【００３０】
（カバー材接合工程）
図３（ａ）に示されるように、サンプル採取装置１の収容ケース７及び化粧キャップ９を除去し、折り畳まれたカバー材５を穿孔部１１よりも前方の位置まで引き伸ばす。そして、袋体１００の壁１０１の表面に接合リング３３の前端面を接着する。接合リング３３の前端面には、壁１０１と接着するための接着層が事前に設けられてもよい。すなわち、例えば、接合リング３３の前端面に両面テープが事前に設置されていてもよく、接合リング３３の前端面に接着剤が事前に塗布されてもよい。
【００３１】
この操作により、穿孔部１１及び粉粒体保持部１５が収容された閉鎖空間Ｒが形成される。閉鎖空間Ｒは、壁１０１の一部分（以下「壁部分１０１ａ」という）と、カバー材５と、サンプリング具３とによって囲まれ、外部から閉鎖された空間である。ここで「閉鎖」とは、少なくとも粉粒体Ｐが漏出しないように閉ざされていることを言う。接合リング３３が壁１０１の表面に接合された状態においては、接合リング３３に囲まれた円形の領域が壁１０１の表面上に存在する。壁１０１のうち上記の円形の領域に対応する部分が、前述の壁部分１０１ａである。
【００３２】
（貫通孔形成工程）
次に、図３（ｂ）に示されるように、袋体１００に向けてサンプリング具３を前方に押し込み、穿孔部１１及び胴部１３を接合リング３３に挿通させながら袋体１００内に刺入する。この操作の際には、カバー材５の接続シュート３１が再び折り畳まれた状態となる。この操作により、接合リング３３に囲まれた領域に対応する壁部分１０１ａ（図３（ａ）参照）が尖鋭な穿孔部１１によって破壊され、当該壁部分１０１ａに貫通孔４１が形成される。また、袋体１００内に侵入した胴部１３の粉粒体保持部１５には、粉粒体Ｐの一部が流れ込む。
【００３３】
（サンプル抜出工程）
次に、図３（ｃ）に示されるように、袋体１００からサンプリング具３を後方に引き抜き、穿孔部１１及び胴部１３を袋体１００外に抜去する。この操作の際には、カバー材５の接続シュート３１が再び引き伸ばされた状態となり、穿孔部１１が接合リング３３の後方まで後退する。この操作により、粉粒体保持部１５に流れ込んでいた粉粒体Ｐは、貫通孔４１を通じて、サンプルＳとして袋体１００外に抜き出され、カバー材５内の閉鎖空間Ｒに移動する。
【００３４】
（分断封止工程）
次に、図４（ａ）に示されるように、穿孔部１１と接合リング３３との間の位置において、接続シュート３１をヒートシール等によって封止する。これにより、接続シュート３１の対向する内周面同士が溶着され、閉鎖空間Ｒは、溶着部４３を挟んでサンプルＳ側の閉鎖空間Ｒ１と袋体１００側の閉鎖空間Ｒ２とに前後に分断される。閉鎖空間Ｒ１には穿孔部１１及び粉粒体保持部１５の全体が収容される。
【００３５】
次に、図４（ｂ）に示されるように、溶着部４３の中央を切断して接続シュート３１を前後に分断する。これらの操作により、両方の分断部４５ａ，４５ｂが封止される状態でカバー材５が分断される。従って、閉鎖空間Ｒは、閉鎖状態を保持したまま、閉鎖空間Ｒ１と閉鎖空間Ｒ２とに分断される。また、サンプルＳは、閉鎖空間Ｒ１内に封じ込められた状態で袋体１００から切り離される。また、袋体１００内の粉粒体Ｐが貫通孔４１から袋体１００外に露出するが、当該粉粒体Ｐは閉鎖空間Ｒ２内に封じ込められる。なお、上記のように、接続シュート３１をヒートシールして切断する方法には限定されず、例えば、接続シュート３１をインシュロック帯等で縛った上で切断してもよい。
【００３６】
（キャップ設置工程）
次に、図４（ｃ）に示されるように、接合リング３３側に残った接続シュート３１の残骸３１ｂを貫通孔４１側に押し込み、接合リング３３の後端に化粧キャップ９をねじ込んで装着する。この操作により、接合リング３３側の分断部４５ｂと残骸３１ｂとが覆い隠され、外部から見えなくなる。
【００３７】
一方、サンプリング具３には、当該サンプリング具３側に残った接続シュート３１の残骸３１ａを覆うように収容ケース７が再び被せられ装着される。これにより、接続シュート３１の残骸３１ａ等が保護され破損が避けられる。すなわち、収容ケース７の存在により、サンプル採取装置１の搬送時又は持運び時において、胴部１３や接続シュート３１の残骸３１ａが外的な衝撃によって破損する可能性が低減され、上記の破損に起因して発生するサンプルＳの漏出の可能性が低減される。また、万一、分断部４５ａの封止が不完全であったとしても、収容ケース７によってサンプルＳの外部への漏出の可能性が低減される。その後、サンプル採取装置１を傾けるなどして、粉粒体保持部１５内のサンプルＳを採取ボトル１９の空洞部１９ａに移動させてもよい。そして、アイソレータ内などにおいて、サンプルＳが収容された採取ボトル１９を本体部２１から取り外して取扱ってもよい。このように採取ボトル１９の存在により、採取したサンプルＳを容易に取出すことができる。以上のようなサンプル採取装置１の使用後には、サンプリング具３の本体部２１と採取ボトル１９と収容ケース７と固定バンド２９とが洗浄され、消耗品であるカバー材５と化粧キャップ９とが補充されて、再びサンプル採取装置１が組立てられる。なお、上記のようにサンプル採取装置１の一部の部品が洗浄され再利用されることは必須ではなく、サンプル採取装置１の全体を使い捨て（シングルユース又はディスポーザブル）にしてもよい。
【００３８】
続いて、上述のサンプル採取装置１及びこれを用いたサンプル採取方法による作用効果について説明する。
【００３９】
上述のサンプル採取装置１及びサンプル採取方法では、壁部分１０１ａ、カバー材５、及びサンプリング具３によって囲まれ外部から閉鎖された閉鎖空間Ｒが形成される。この閉鎖空間Ｒ内に穿孔部１１が収容された状態であるので、閉鎖空間Ｒの閉鎖状態を維持したまま、穿孔部１１で壁部分１０１ａを破壊して貫通孔４１を形成することができ、貫通孔４１を通じて閉鎖空間Ｒに粉粒体ＰのサンプルＳを移動させることができる。その後、カバー材５を分断封止することにより、閉鎖空間Ｒの閉鎖状態を維持したまま、サンプルＳを袋体１００から切り離すと共に、貫通孔４１をカバー材５の残骸３１ｂで封止することができる。
【００４０】
このように、サンプル採取装置１及びサンプル採取方法によれば、アイソレータ等の大掛りな装置を必要としない簡易な手法によって、サンプリング用の開閉扉等が準備されていない袋体１００から、封じ込めを図りながら粉粒体ＰのサンプルＳを採取することができる。
【００４１】
また、サンプリング具３は、穿孔部１１と、当該穿孔部１１の後方に設けられた粉粒体保持部１５とを有し、袋体１００に刺入され抜去されてサンプルＳを抜き出す構造であるので、貫通孔４１を形成し貫通孔４１からサンプルＳを抜き出す操作を連続的に容易に実行することができる。
【００４２】
また、カバー材５の開口５ａの縁部として硬質の接合リング３３が存在するので、カバー材５の開口５ａを円形に維持して袋体１００の壁１０１の表面に接合することができる。よって、壁部分１０１ａが円形に形成され、その結果、サンプリング具３を壁部分１０１ａに突き刺すときには、接合リング３３に穿孔部１１を挿入することで、穿孔部１１によるカバー材５の破損が回避される。
【００４３】
また、キャップ設置工程によれば、接合リング３３側の分断部４５ｂが覆い隠されるので、万一、分断部４５ｂの封止が不完全であった場合にも、袋体１００からの粉粒体Ｐの漏出や飛散が避けられる。また、残骸３１ｂが覆い隠されるので、接続シュート３１の材料が袋体１００の材料よりも脆弱である場合にあっても、残骸３１ｂが破損することによる粉粒体Ｐの漏出や飛散も避けられる。更には、化粧キャップ９によって、残骸３１ｂや分断部４５ｂが外部から見えなくなるので、袋体１００の外観の美観性も保護される。
【００４４】
（第２実施形態）
続いて、図５を参照しながら、本発明の第２実施形態に係るサンプル採取装置５１について説明する。サンプル採取装置５１の構成要素のうち、サンプル採取装置１と同一又は同等の構成要素については図面に同一の符号を付して重複する説明を省略する。
【００４５】
サンプル採取装置５１においては、サンプリング具５３の胴部６３は、切欠き１７（図１参照）に代えて前端に開口６３ａを有している。そして、開口６３ａが、胴部６３の筒軸に対し傾斜するように斜めに形成されていることで、胴部６３の前端に尖鋭な穿孔部６１が形成されている。穿孔部６１の後方で胴部６３の中空部には、内壁面から径方向内側に突出する突起６２が形成されている。突起６２は、周方向を厚みとする板状を成しており、周方向に複数（例えば４つ）配列され形成されている。各突起６２は、軸方向に直交する後端縁６２ａを有し、前後非対称の山形状をなしている。
【００４６】
この構造に基づき、サンプリング具３が袋体１００に刺入されるときには、袋体１００内の粉粒体Ｐは、開口６３ａを通じて胴部６３の中空部に入り込み、突起６２同士の間を通過して突起６２よりも後方の空間６５まで達する。その後、サンプリング具３が袋体１００から抜去されるとき、空間６５に入り込んだ粉粒体Ｐは、突起６２の後端縁６２ａに引っ掛かって空間６５に残留し、サンプリング具３に保持された状態でサンプルＳとして袋体１００外に引き出される。このように、空間６５は、粉粒体Ｐを保持する粉粒体保持部を構成する。
【００４７】
第１実施形態で説明したサンプル採取方法では、サンプル採取装置１（図１参照）に代えて、サンプル採取装置５１が使用されてもよい。
【００４８】
本発明は、上述した実施形態を始めとして、当業者の知識に基づいて種々の変更、改良を施した様々な形態で実施することができる。また、上述した実施形態に記載されている技術的事項を利用して、変形例を構成することも可能である。各実施形態の構成を適宜組み合わせて使用してもよい。
【００４９】
例えば、本発明のサンプル採取方法では、サンプル採取装置１，５１を使用することは必須ではない。本発明のサンプル採取方法は、例えば図６及び図７に示されるように実行されてもよい。すなわち、図６（ａ）及び図６（ｂ）に示されるように、一端にのみ開口７５ａを有するカバー材７５に穿孔具８１（穿孔部）を収容した状態で、開口７５ａの縁部７５ｂを袋体１００の壁１０１の表面に接合する（カバー材接合工程）。これにより、穿孔具８１が収容された閉鎖空間Ｒが形成される。穿孔具８１は、袋体１００の壁１０１の一部を破壊して貫通孔を形成することができるものであればよい。
【００５０】
次に、図６（ｃ）に示されるように、壁１０１の表面上で開口の縁部７５ｂに囲まれた領域において、当該領域に対応する壁部分１０１ａに、穿孔具８１によって貫通孔４１を形成する（貫通孔形成工程）。ここでは、穿孔具８１により壁部分１０１ａの一部が破壊されることで貫通孔４１が形成される。具体的には、穿孔具８１が壁部分１０１ａに突き刺されてもよく、穿孔具８１によって壁部分１０１ａが切開されてもよい。次に、図７（ａ）に示されるように、貫通孔４１を通じて粉粒体ＰのサンプルＳをカバー材７５内に抜き出す（サンプル抜出取工程）。次に、図７（ｂ）及び図７（ｃ）に示されるように、カバー材７５内のサンプルＳと開口の縁部７５ｂとの間の位置において、カバー材７５にヒートシール等を施し溶着させた上で溶着部８２を切断することにより、各々の分断部８３ａ，８３ｂが封止された状態でカバー材７５を分断する（分断封止工程）。
【００５１】
また、本発明は、高生理活性の物質のサンプル採取装置及びサンプル採取方法に限定されず、それ以外の粉粒体にも本発明は適用可能である。例えば、本発明は、原子力、バイオ、ケミカル、食品等の他の分野における粉粒体のサンプル採取にも適用可能である。特に、本発明は、高生理活性の物質等の、封じ込めを図りながらサンプル採取を実行することが必要とされる粉粒体に好適に適用可能である。また、粉粒体が収容された粉粒体収容体は、ポリエチレン又はポリプロピレン等の軟質樹脂性の袋体に限られない。例えば、粉粒体収容体は、高生理活性の物質が収容された樹脂性ドラム等の硬質の容器であってもよい。この場合、粉粒体収容体の材料は、ポリ塩化ビニル、アクリル樹脂、ポリスチレン等であってもよい。すなわち、粉粒体収容体の材料に応じて、当該粉粒体収容体を穿孔可能な穿孔部を適宜設定すれば、種々の材料の粉粒体収容体に対して本発明を適用可能である。
【００５２】
また、穿孔部は、粉粒体収容体の壁の一部を破壊し穿孔可能なものであればよく、粉粒体収容体に突き刺して穿孔するタイプのものには限定されない。例えば、穿孔部は、粉粒体収容体の壁を切開して穿孔するものであってもよい。
【符号の説明】
【００５３】
１，５１…サンプル採取装置、３，５３…サンプリング具（貫通孔形成具）、５，７５…カバー材、５ａ，７５ａ…開口、９…化粧キャップ（キャップ部材）、１１，６１…穿孔部、１５，６５…粉粒体保持部、１９…採取ボトル、１９ａ…空洞部、２１…本体部、２７…カバー材固定部（取付部）、３３…接合リング（環状接合部材）、４１…貫通孔、４５ａ，４５ｂ，８３ａ，８３ｂ…分断部、７５ｂ…開口の縁部、８１…穿孔具（穿孔部）、１００…袋体（粉粒体収容体）、１０１…壁、Ｐ…粉粒体、Ｒ…閉鎖空間、Ｓ…サンプル。
【図１】
2018179731.tif 000003
【図２】
2018179731.tif 000004
【図３】
2018179731.tif 000005
【図４】
2018179731.tif 000006
【図５】
2018179731.tif 000007
【図６】
2018179731.tif 000008
【図７】
2018179731.tif 000009